【手続補正書】
【提出日】平成17年5月17日(2005.5.17)
【手続補正１】
【補正対象書類名】明細書
【補正対象項目名】特許請求の範囲
【補正方法】変更
【補正の内容】
【特許請求の範囲】    
【請求項１】  互いにデータを送信しデータを受信可能な複数の局を備えた通信ネットワークの運営方法であって、
各局において、当該局と、該局が通信する他の各局との間の経路品質を監視するステップと、
各局において、前記他の各局と関連する経路品質に対応する経路品質データを記録するステップと、
各局において、選択した他の局にデータを送信するときに該選択した他の局に関連する、前記記録経路品質データに基づいて送信電力値を設定することにより、最適な電力レベルで前記選択した他の局にデータを送信する確率を高めるようにするステップと、
第１および第２局間で他のデータを送信する時に、該局間の経路品質に対応する経路品質データを送信し、前記第１局において記録した経路品質データを前記第２局に伝達して該第２局が用いる、およびその逆のステップと、
から成り、
各局が他の局の送信を監視し、それから経路品質データを得て、第１局の範囲内にある第２局から、前記第１局の範囲外にある第３局への送信を監視する前記第１局が、前記第３局に関する経路品質データを取得可能とすることを特徴とする方法。
【請求項２】  請求項１記載の方法において、局間の経路品質を監視するステップが、前記局間のチャネルの経路損失、位相歪み、時間遅延、ドプラ・シフト、およびマルチパス・フェーディング特性の少なくとも１つを監視するステップを含むことを特徴とする方法。
【請求項３】  請求項１記載の方法において、データ送信を受信する局における前記経路品質は、前記受信した送信の測定電力を、その送信電力を示す、前記送信におけるデータと比較することによって算出することを特徴とする方法。
【請求項４】  請求項３記載の方法において、かかる経路品質データを受信した局が、前記受信した経路品質データを、格納してある各経路品質データと比較し、前記受信値と格納値との差から経路品質補正値を算出し、前記経路品質データを送信した局にデータを送信する際に、前記経路品質補正値を利用して前記送信電力を調節することを特徴とする方法。
【請求項５】  請求項４記載の方法において、前記経路品質補正係数は、複数の経路品質補正係数の算出から変化率データを得ることによって算出することを特徴とする方法。
【請求項６】  請求項５記載の方法において、データを局に送信する際、該局の経路品質補正値が経時的に変化していることが検出された場合、前記変化率データを利用して前記送信電力を予測的に調節することを特徴とする方法。
【請求項７】  請求項３記載の方法であって、データを送信する第１局から、データ送信を受信する第２局における背景雑音／干渉を監視し、前記受信側局にデータを送信する前記局において送信電力値を調節することによって、前記受信側局における要求信号対雑音比を維持するステップを含むことを特徴とする方法。
【請求項８】  請求項７記載の方法において、各局が、他の局に対するその送信の少なくとも一部におけるローカル背景雑音／干渉データを含み、他の局が前記各局にデータを送信するときに、その送信電力値の調節に用いることを特徴とする方法。
【請求項９】  請求項７記載の方法であって、第１局において設定された送信電力値と、第２局における要求信号対雑音比とに応じて、前記第１局から前記第２局に送信されるメッセージ・データのデータ・レートを調節するステップを含むことを特徴とする方法。
【請求項１０】  請求項７記載の方法であって、第１局において設定された送信電力値と、第２局における要求信号対雑音比とに応じて、前記第１局から前記第２局に送信されるメッセージ・データ・パケットの長さを調節するステップを含むことを特徴とする方法。
【請求項１１】  請求項１記載の方法において、各局が他の局の送信を監視し、それから背景雑音／干渉データを得て、第１局の範囲内にある第２局から前記第１局の範囲外にある第３局への送信を監視する前記第１局が、前記第３局に関する背景雑音／干渉データを取得可能とすることを特徴とする方法。
【請求項１２】  請求項１記載の方法であって、関連する前記経路品質および／または背景雑音／干渉データにしたがって、都合に応じて局を選択し、これにデータを送信するステップを含むことを特徴とする方法。
【請求項１３】  互いにデータを送信しデータを受信可能な複数の局を備えたネットワークにおける局として動作可能な通信装置であって、
選択した局にデータを送信するように構成された送信手段と、
他の局から送信されたデータを受信するように構成された受信手段と、
受信した送信の電力を測定する信号強度測定手段と、
他の局に関連する経路品質に対応する経路品質データを算出し記録するプロセッサ手段と、
前記装置と宛先局との間の経路品質に応じて、前記送信機の出力電力を調節する制御手段と、
を備え、
前記プロセッサ手段が、他の局に対するその送信において、前記経路品質データを含ませてそれらが用いるようにすると共に、他の局からの送信において経路品質データを受信し、更新経路品質データの算出に用いるように構成され、更に、他の局からの送信における経路品質データを監視するように構成され、第１局の範囲内にある第２局から、前記第１局の範囲外にある第３局への送信を監視する前記第１局が、前記第３局に関する経路品質データを取得可能とすることを特徴とする通信装置。
【請求項１４】  請求項１３記載の通信装置において、前記プロセッサ手段が、受信した送信内にあるその送信電力に関係するデータおよび／または以前に測定した経路品質を、前記信号強度測定手段によって得られた測定値と比較することによって、前記経路品質を算出するように構成されていることを特徴とする通信装置。
【請求項１５】  請求項１４記載の通信装置において、前記プロセッサ手段が、前記装置と他の局との間のチャネルの経路損失、位相歪み、時間遅延、ドプラ・シフト、およびマルチパス・フェーディング特性の少なくとも１つを監視するように構成されていることを特徴とする通信装置。
【請求項１６】  請求項１４記載の通信装置において、前記プロセッサ手段が、受信した送信から経路品質データを抽出し、該経路品質データを受信した送信の測定電力と比較し、それらの間の差から経路品質補正係数を算出するように構成され、前記制御手段が前記経路品質補正係数を利用して前記送信機の出力電力を調節することを特徴とする通信装置。
【請求項１７】  請求項１６記載の通信装置において、前記プロセッサ手段が、複数の経路品質補正係数の計算から変化率データを導出することにより、局間の経路品質の変動を補償するように適合化されていることを特徴とする通信装置。
【請求項１８】  請求項１７記載の通信装置において、前記プロセッサ手段が、データを局に送信する際、該局の経路品質補正値が経時的に変化していることが検出された場合、前記変化率データを利用して前記送信電力を予測的に調節するように構成されていることを特徴とする通信装置。
【請求項１９】  請求項１７記載の通信装置において、前記プロセッサ手段が、複数の局の各々の経路品質データを格納し、前記複数の局のいずれかとの通信を開始するとき、格納したそれぞれの経路品質データに応じて初期送信電力値を設定するように構成されていることを特徴とする通信装置。
【請求項２０】  請求項１３記載の通信装置において、前記プロセッサ手段が、他の局からの送信における背景雑音／干渉データを監視するように構成され、第１局の範囲内にある第２局から、前記第１局の範囲外にある第３局への送信を監視する前記第１局が、前記第３局に関する背景雑音／干渉データを取得可能とすることを特徴とする通信装置。
【請求項２１】  請求項１３記載の通信装置において、前記プロセッサ手段が、関連する前記経路品質および／または背景雑音／干渉データに応じて、都合に応じて他の局を選択し、それにデータを送信するように適合化されていることを可能とすることを特徴とする通信装置。